(57)【要約】【課題】  原稿から読み取った画像の傾きを補正することができるとともに、検品作業の効率化を図ることにより、全体の読み取り作業効率の向上を図ったスキュー補正方法、プログラム、画像処理装置および画像処理システムを提供する。【解決手段】  スキャナ２で原稿から画像データを読み取り、画像データについてページ毎に複数のスキュー補正アルゴリズムを用いてスキュー補正を行い、複数の補正画像データを得る。読み取り作業用ホストＰＣ３で複数の補正画像データにページ属性を付加して検品作業用ホストＰＣ４に転送し、検品作業用ホストＰＣ４で複数の補正画像データから１つの補正画像データを選択する。【選択図】    図１
2006270748.tif 000002
【特許請求の範囲】
【請求項１】
原稿をページ毎に読み取って得られた画像データを入力する第１のステップと、
前記画像データについてページ毎に複数のスキュー補正アルゴリズムを用いてスキュー補正を行い、１つの前記画像データに対して複数の補正画像データを生成する第２のステップと、
前記複数の補正画像データから１つの補正画像データをページ毎に選択する第３のステップとを含むことを特徴とするスキュー補正方法。
【請求項２】
前記第２のステップは、複数のスキュー補正アルゴリズムのリストから前記スキュー補正に用いる前記複数のスキュー補正アルゴリズムを選択するステップを含むことを特徴とする請求項１に記載のスキュー補正方法。
【請求項３】
前記第３のステップは、前記複数の補正画像データをページ毎に切り替えて画面に表示し、切り替え操作によって前記１つの補正画像データを前記画面に表示することで前記１つの補正画像データを選択することを特徴とする請求項１に記載のスキュー補正方法。
【請求項４】
前記第３のステップは、前記複数の補正画像データについてそれぞれスキュー補正評価点を算出し、一番高い評価点を得た補正画像データを自動選択することを特徴とする請求項１に記載のスキュー補正方法。
【請求項５】
請求項１乃至４に記載のスキュー補正方法をコンピュータに実行させるためのプログラム。
【請求項６】
原稿から画像データをページ毎に読み取る読取部と、
前記画像データについてページ毎に複数のスキュー補正アルゴリズムを用いてスキュー補正を行い、１つの前記画像データに対して複数の補正画像データを生成する補正部と、
前記複数の補正画像データから１つの補正画像データをページ毎に選択する選択部とを備えたこと特徴とする画像処理装置。
【請求項７】
前記補正部は、複数のスキュー補正アルゴリズムのリストから前記スキュー補正に用いる前記複数のスキュー補正アルゴリズムを選択するアルゴリズム選択部を備えたことを特徴とする請求項６に記載の画像処理装置。
【請求項８】
前記選択部は、前記複数の補正画像データをページ毎に切り替えて画面に表示する表示部と、前記画面に表示する前記補正画像データを切り替える切り替えボタンとを備え、前記１つの補正画像データを前記画面に表示することで前記１つの補正画像データを選択することを特徴とする請求項６に記載の画像処理装置。
【請求項９】
前記選択部は、前記複数の補正画像データについてそれぞれスキュー補正評価点を算出し、一番高い評価点を得た補正画像データを自動選択することを特徴とする請求項６に記載の画像処理装置。
【請求項１０】
画像データを入力するスキャナと、前記スキャナを制御する読取制御装置と、前記画像データを編集する編集装置とを有する画像処理システムにおいて、
前記スキャナは、前記原稿から画像データをページ毎に読み取る読取部と、前記読取部によって読み取られた前記画像データについてページ毎に複数のスキュー補正アルゴリズムを用いてスキュー補正を行い、１つの前記画像データに対して複数の補正画像データを生成する補正部とを備え、
前記読取制御装置は、前記複数の補正画像データにページ属性を付加して前記編集装置に転送し、
前記編集装置は、前記読取制御装置から転送された前記複数の補正画像データから１つの補正画像データをページ毎に選択する選択部を備えたこと特徴とする画像処理システム。
【請求項１１】
画像データを入力するスキャナと、前記スキャナを制御する読取制御装置と、前記画像データを編集する編集装置とを有する画像処理システムにおいて、
前記スキャナは、原稿から画像データをページ毎に読み取る読取部を備え、
前記読取制御装置は、前記読取部によって読み取られた前記画像データについてページ毎に複数のスキュー補正アルゴリズムを用いてスキュー補正を行い、１つの前記画像データに対して複数の補正画像データを生成する補正部とを備え、前記複数の補正画像データにページ属性を付加して前記編集装置に転送し、
前記編集装置は、前記読取制御装置から転送された前記複数の補正画像データから１つの補正画像データをページ毎に選択する選択部を備えたこと特徴とする画像処理システム。
【発明の詳細な説明】
【技術分野】
【０００１】
本発明は、原稿を読み取って得られた画像データについてスキュー補正を行うスキュー補正方法、プログラム、画像処理装置および画像処理システムに関する。
【背景技術】
【０００２】
文書（原稿）をスキャナーで読み取り、各ページを画像としてファイル保存し、文書単位で管理する画像文書管理システムが多数存在する。エンタープライズエリア（大型企業）で使用される画像文書管理システムのスキャナーには、ＡＤＦ(Automatic Document Feeder)と呼ばれる自動原稿送り装置が装備され、多数のページを持つ原稿を自動でページ送りし、連続して読み取ることで、読み取り作業を効率的にすることが多い。
【０００３】
ＡＤＦから読み込まれる紙原稿は、紙送りの際に斜めに傾いたまま、読み取られて電子化されることがある。このように画像データが傾くことを「スキュー」と呼び、スキューを補正して、正立の向きに画像を回転する「スキュー補正機能」は、スキャンデータを扱う画像文書管理システムでは必須の機能である。
【０００４】
スキュー補正を行う技術は、従来より様々なものが実用化されている（例えば、特許文献１〜７参照。）。
【特許文献１】特開平４−３３３９８３号公報
【特許文献２】特開平４−１５３８８７号公報
【特許文献３】特開平４−２８７２８９号公報
【特許文献４】特開２００４−３４１８６５号公報
【特許文献５】特開２００４−７０７２０号公報
【特許文献６】特開平５−２７４４７５号公報
【特許文献７】特開平０１−０６６７８２号公報
【発明の開示】
【発明が解決しようとする課題】
【０００５】
しかし、従来のスキュー補正方法によると、原稿がテキストが主体であるか写真が主体であるか等の原稿の内容によって補正精度にばらつきが生じるため、あるスキュー補正アルゴリズムでは正しく補正できても、他のアルゴリズムでは却って大きく傾いてしまう、などということが、頻繁に起こる。１つのスキュー補正アルゴリズムで種々な内容の原稿に対応できるようにスキュー補正精度が向上するように多くの試みがなされているが、多数のページを一度に読み取って文書として管理する用途の画像文書管理システムにおいては、完全にスキュー補正を実施できることはまれである。
【０００６】
このような画像文書管理システムでは、多数のページを読み取って画像文書として記録した後、文書の読み取り品質を検査する工程（検品工程）でスキューが発見されることが多い。読み取り作業と検品作業は、異なった人／場所で実施されることも多い。このため、検品時にスキューが発見された場合には、再度、該当ページを読み取るなどの作業が煩雑となり、作業効率を著しく低下させている。
【０００７】
従って、本発明の目的は、原稿から読み取った画像の傾きを補正することができるとともに、検品作業の効率化を図ることにより、全体の読み取り作業効率の向上を図ったスキュー補正方法、プログラム、画像処理装置および画像処理システムを提供することにある。
【課題を解決するための手段】
【０００８】
本発明は、上記目的を達成するため、原稿をページ毎に読み取って得られた画像データを入力する第１のステップと、前記画像データについてページ毎に複数のスキュー補正アルゴリズムを用いてスキュー補正を行い、１つの前記画像データに対して複数の補正画像データを生成する第２のステップと、前記複数の補正画像データから１つの補正画像データをページ毎に選択する第３のステップとを含むことを特徴とするスキュー補正方法を提供する。
【０００９】
上記スキュー補正方法によれば、１つの画像データに対して複数の補正画像データが得られるため、それらの補正画像データのうち最も傾きの小さい補正画像データを選択することができる。
【００１０】
「原稿」には、テキストが主体のもの（文書）、グラフィックが主体のもの、写真が主体のもの等の各種のものが含まれる。
【００１１】
上記第２のステップは、複数のスキュー補正アルゴリズムのリストからスキュー補正に用いる複数のスキュー補正アルゴリズムを選択するステップを含む構成としてもよい。
【００１２】
上記第３のステップは、複数の補正画像データをページ毎に切り替えて画面に表示し、切り替え操作によって１つの補正画像データを画面に表示することで１つの補正画像データを選択してもよい。ページ毎に表示される補正画像データは１つであるので、切り替え表示によって画像の傾きの大小の比較が容易となる。
【００１３】
上記第３のステップは、複数の補正画像データについてそれぞれスキュー補正評価点を算出し、一番高い評価点を得た補正画像データを自動選択してもよい。スキュー補正評価点を基に画像の傾きの大小の比較を客観的に行うことができる。
【００１４】
本発明は、上記目的を達成するため、上記スキュー補正方法をコンピュータに実行させるためのプログラムを提供する。画像データの入力、スキュー補正および補正画像データの選択が自動化される。
【００１５】
本発明は、上記目的を達成するため、原稿から画像データをページ毎に読み取る読取部と、前記読取部によって読み取られた前記画像データについてページ毎に複数のスキュー補正アルゴリズムを用いてスキュー補正を行い、１つの前記画像データに対して複数の補正画像データを生成する補正部と、前記複数の補正画像データから１つの補正画像データをページ毎に選択する選択部とを備えたこと特徴とする画像処理装置を提供する。
【００１６】
上記画像処理装置によれば、補正部から１つの画像データに対して複数の補正画像データが得られるため、選択部によりそれらの補正画像データのうち最も傾きの小さい補正画像データを選択することができる。
【００１７】
補正部は、複数のスキュー補正アルゴリズムのリストからスキュー補正に用いる複数のスキュー補正アルゴリズムを選択するアルゴリズム選択部を備えた構成としてもよい。
【００１８】
選択部は、複数の補正画像データをページ毎に切り替えて画面に表示する表示部と、画面に表示する補正画像データを切り替える切り替えボタンとを備え、１つの補正画像データを画面に表示することで１つの補正画像データを選択する構成としてもよい。ページ毎に表示される補正画像データは１つであるので、切り替え表示によって画像の傾きの大小の比較が容易となる。
【００１９】
選択部は、複数の補正画像データについてそれぞれスキュー補正評価点を算出し、一番高い評価点を得た補正画像データを自動選択する構成としてもよい。スキュー補正評価点を基に画像の傾きの大小の比較を客観的に行うことができる。
【００２０】
本発明は、上記目的を達成するため、画像データを入力するスキャナと、前記スキャナを制御する読取制御装置と、前記画像データを編集する編集装置とを有する画像処理システムにおいて、前記スキャナは、前記原稿から画像データをページ毎に読み取る読取部と、前記読取部によって読み取られた前記画像データについてページ毎に複数のスキュー補正アルゴリズムを用いてスキュー補正を行い、１つの前記画像データに対して複数の補正画像データを生成する補正部とを備え、前記読取制御装置は、前記複数の補正画像データにページ属性を付加して前記編集装置に転送し、前記編集装置は、前記読取制御装置から転送された前記複数の補正画像データから１つの補正画像データをページ毎に選択する選択部を備えたこと特徴とする画像処理システムを提供する。
【００２１】
上記画像処理システムによれば、スキャナ側で１つの画像データに対して複数の補正画像データを生成するため、編集装置側で複数の補正画像データのうち最も傾きの小さい補正画像データを選択することができ、読取制御装置の構成の簡素化を図ることができる。
【００２２】
本発明は、上記目的を達成するため、画像データを入力するスキャナと、前記スキャナを制御する読取制御装置と、前記画像データを編集する編集装置とを有する画像処理システムにおいて、前記スキャナは、原稿から画像データをページ毎に読み取る読取部を備え、前記読取制御装置は、前記読取部によって読み取られた前記画像データについてページ毎に複数のスキュー補正アルゴリズムを用いてスキュー補正を行い、１つの前記画像データに対して複数の補正画像データを生成する補正部とを備え、前記複数の補正画像データにページ属性を付加して前記編集装置に転送し、前記編集装置は、前記読取制御装置から転送された前記複数の補正画像データから１つの補正画像データをページ毎に選択する選択部を備えたこと特徴とする画像処理システムを提供する。
【００２３】
上記画像処理システムによれば、読取制御装置側で１つの画像データに対して複数の補正画像データを生成するため、編集装置側で複数の補正画像データのうち最も傾きの小さい補正画像データを選択することができ、スキャナの構成の簡素化を図ることができる。
【発明の効果】
【００２４】
本発明によれば、原稿から読み取った画像の傾きを補正することができるとともに、検品作業の効率化を図ることにより、全体の読み取り作業効率の向上を図ることができる。
【発明を実施するための最良の形態】
【００２５】
［第１の実施の形態］
図１は、本発明の画像処理装置およびシステムが適用された第１の実施の形態に係る画像文書管理システムを示す。この画像文書管理システム１は、文書原稿から文書データ（画像データ）を読み取るスキャナ２と、このスキャナ２に信号線７によって接続され、文書データの読み取り時に用いられる読取制御装置としての読み取り作業用ホストパーソナルコンピュータ（ＰＣ）３と、文書データの読み取り品質の検査時に用いられる編集装置としての検品作業用ホストＰＣ４と、文書データを印刷する印刷装置５とを有し、ＰＣ３、ＰＣ４および印刷装置５をネットワーク６を介して接続したものである。
【００２６】
図２は、第１の実施の形態に係るスキャナ２と読み取り作業用ホストＰＣ３の構成を示す。
【００２７】
（スキャナの構成）
スキャナ２は、文書原稿を一枚ずつ読み取り位置に自動給紙するＡＤＦ(Automatic Document Feeder)２０と、読み取り位置に給紙された文書原稿から文書データをページ毎に読み取る光学センサ２１と、光学センサ２１によって読み取られた文書データ（ＲＡＷイメージデータ）を記憶するバッファメモリ２２と、バッファメモリ２２からイメージデータを読み出してページ毎に複数のスキュー補正アルゴリズムを用いてスキュー補正処理を行うスキュー補正処理ＡＳＩＣ(Application Specific IC)２３と、スキュー補正処理ＡＳＩＣ２３によってスキュー補正処理されたイメージデータ（補正画像データ）を読み取り作業用ホストＰＣ２に転送するスキャナデータ転送制御手段２４と、スキャナ２の各部を制御する図示しない制御部とを備える。
【００２８】
（読み取り作業用ホストＰＣの構成）
読み取り作業用ホストＰＣ３は、ＰＣ３全体を制御するとともに、スキャナ２および検品作業用ホストＰＣ４等との間で通信を行うＣＰＵと、ＣＰＵのプログラムや文書データ等が格納されるＲＯＭ，ＲＡＭ，ハードディスク等の記憶部と、キーボード，マウス等の入力デバイスと、液晶ディスプレイ，ＣＲＴディスプレイ等のディスプレイとを備える。
【００２９】
記憶部に記憶されるプログラムとしては、スキャナドライバ３０、画像文書管理ソフト３１等がある。スキャナドライバ３０は、通信プロトコルに従いスキャナ２との間でデータの転送制御を行うドライバデータ転送制御手段３００と、ページ毎に生成された複数のイメージデータをページ毎のイメージファイルとして作成するイメージファイル作成部３０１とを有する。画像文書管理ソフト３１は、文書フォーマットに従って文書を管理するものである。
【００３０】
（検品作業用ホストＰＣの構成）
検品作業用ホストＰＣ４は、ＰＣ４全体を制御するとともに、読み取り作業用ホストＰＣ３および印刷装置５等との間で通信を行うＣＰＵと、表示制御プログラム、編集プログラム等のＣＰＵのプログラムやスキャナ２から転送された文書データ等が格納されるＲＯＭ，ＲＡＭ，ハードディスク等の記憶部と、キーボード，マウス等の入力デバイスと、液晶ディスプレイ，ＣＲＴディスプレイ等のディスプレイとを備える。
【００３１】
（印刷装置の構成）
印刷装置５は、電子写真方式、インクジェック方式、感熱転写方式等の各種の方式を用いることができる。なお、この印刷装置５には、印刷された用紙の仕分け、製本等の後処理装置が接続されていてもよい。
【００３２】
（第１の実施の形態の動作）
次に、第１の実施の形態の動作を図６のフローチャートに従って説明する。
【００３３】
（１）読み取り作業
読み取り作業者は、複数の文書原稿をスキャナ２のＡＤＦ２０にセットし（Ｓ１）、読み取り作業用ホストＰＣ３の入力デバイスを操作してスキュー補正モード選択画面をディスプレイに表示させ、スキュー補正モードを選択する（Ｓ２）。
【００３４】
図３は、そのスキュー補正モード選択画面を示す。このスキュー補正モード選択画面５０には、スキュー補正を有効とするチェックボックス５１と、スキュー補正有効を選択した場合のテキストモード、グラフィックモード、写真モードを選択するためのチェックボックス５２，５３，５４が設けられている。テキストモード、グラフィックモードあるいは写真モードを選択すると、それぞれテキストが主体の原稿、グラフィックが主体の原稿、写真が主体の原稿に適したスキュー補正アルゴリズムが実行されるようになっている。同図の場合は、スキュー補正有効が選択され、テキストモードおよびグラフィックモードが選択されている場合を示す。
【００３５】
スキュー補正モードを選択した後、読み取り作業者が図示しないスタートキーを押下すると、ＡＤＦ２０は、スキャナ２の制御部の制御により文書原稿を一枚ずつ読み取り位置に自動給紙し、光学センサ２１は、読み取り位置に給紙された文書原稿から文書データをページ毎に読み取る（Ｓ３）。光学センサ２１で読み取られた文書データ（ＲＡＷイメージデータ）は、バッファメモリ２２に一時的に記憶される（Ｓ４）。
【００３６】
次に、スキュー補正処理ＡＳＩＣ２３は、バッファメモリ２２からＲＡＷイメージデータを読み出し、上記ステップＳ２において選択された複数のスキュー補正アルゴリズムを用いてスキュー補正処理を行う。スキャナデータ転送制御手段２４は、スキュー補正処理ＡＳＩＣ２３を制御してスキュー補正処理後のイメージデータを複数回に分けてスキュー補正処理ＡＳＩＣ２３から受け取り、読み取り作業用ホストＰＣ３に転送する。
【００３７】
読み取り作業用ホストＰＣ３のドライバデータ転送制御手段３００は、スキャナ２から転送されたイメージデータをイメージファイル作成部３０１に渡す。イメージファイル作成部３０１は、ページ毎に生成された複数のイメージデータを文書フォーマットに従いページ毎のイメージファイルとして作成する。
【００３８】
図４は、その文書フォーマットを示す。文書は、複数のページ１，ページ２，・・・から構成され、各ページは、複数のスキュー補正アルゴリズムに対応した複数のイメージ１，イメージ２，・・・から構成されている。また、文書には、文書属性として、優先スキュー補正モードと、スキュー補正変更ページリストが設定できるようになっており、各ページには、ページ属性として、プレビュー表示のイメージと、スキュー補正モードが設定できるようになっている。
【００３９】
「優先スキュー補正モード」とは、スキュー補正モード選択画面５０で選択した複数のスキュー補正モードのうち全ページのプレビュー表示として優先的に表示するスキュー補正モードをいい、予め設定される。「プレビュー表示」とは、後述する文書データ検品画面におけるイメージの表示をいう。「スキュー補正変更ページリスト」とは、優先スキュー補正モードで設定したスキュー補正モードを変更したページのリストをいう。
【００４０】
優先スキュー補正モードでスキュー補正モードを予め設定することにより、各ページのプレビュー表示のイメージが一括して決まるが、その後に各ページ毎にプレビュー表示のイメージを変更できるように構成されている。図４の場合は、優先スキュー補正モードでグラフィックモードを設定して各ページのプレビュー表示をイメージ２とした後、ページ２についてプレビュー表示をイメージ１に変更した場合を示す。
【００４１】
次に、読み取り作業者は、読み取り忘れ、ジャムの発生等によって読み直しが必要か否かを判断し、読み直しが必要であれば（Ｓ５）、ページイメージを差し替え（Ｓ６）、上記ステップＳ５で読み直し不要の場合、あるいはページイメージ差し替え後、各ページイメージを文書として登録する（Ｓ７）。
【００４２】
読み取り作業が終わると、読み取り作業者は、読み取り作業用ホストＰＣ３の入力デバイスを操作して文書データの送信を指示すると、読み取り作業用ホストＰＣ３のＣＰＵは、文書データをネットワーク６を介して検品作業用ホストＰＣ４に送信する（Ｓ８）。文書データはＰＣ４の記憶部に格納される。
【００４３】
（２）検品作業
検品作業者は、検品作業用ホストＰＣ４の入力デバイスを操作して検品作業の開始を指示すると、ＣＰＵは文書データ検品画面をディスプレイに表示する（Ｓ９）。
【００４４】
図５は、その文書データ検品画面を示す。この文書データ検品画面６０には、ページ毎にイメージ６１ａ，６１ｂ，６１ｃが表示され、各ページのイメージ６１ａ，６１ｂ，６１ｃの下側には、表示するイメージを切り替えるためのイメージ切り替えボタン６２ａ，６２ｂが設けられている。最初は優先スキュー補正モードで設定されたスキュー補正モードに対応するイメージが表示されている。表示されているイメージの傾きが大きいために画質が悪いと判断したときは（Ｓ１０）、イメージ切り替えボタン６２ａ，６２ｂを操作して表示されるイメージを切り替える（Ｓ１１）。イメージ切り替えボタン６２ａにカーソルを移動してクリックすると、表示イメージが戻り、イメージ切り替えボタン６２ｂにカーソルを移動してクリックすると、表示イメージが進む。検品作業用ホストＰＣ４のＣＰＵは、編集プログラムに従い、イメージ切り替えボタン６２ａ，６２ｂの操作に対応して図４に示すページ属性のプレビュー表示のイメージを変更する。そのイメージの変更は、図４に示すように、ページ属性に反映される。
【００４５】
検品作業が終了し、イメージの保存を指示すると、文書データ検品画面６０にプレビューとして表示されている各ページのイメージからなる文書データがファイルとしてまとめられ、そのファイルが記憶部に保存される。このとき、文書データ検品画面６０の各ページの２番目以降のイメージは、選択されていないイメージとして自動的に削除される。これにより、ファイルのサイズを小さくすることができる。
【００４６】
（３）文書データの印刷
次に、検品作業者は、検品作業用ホストＰＣ４の入力デバイスを操作し、ファイルを特定し印刷条件を定めて印刷を指示すると、検品作業用ホストＰＣ４のＣＰＵは、印刷条件およびファイルを印刷装置５に転送する。印刷装置５は、印刷条件に従い、ファイル内の文書データを用紙に印刷する。
【００４７】
（第１の実施の形態の効果）
この第１の実施の形態によれば、検品の際に文書の各ページをプレビュー表示した場合、スキューが補正適正でないと判断されたページについては、その場で他の補正アルゴリズムで処理されたイメージに切り替えることができるため、再度読み取り操作を行う頻度が低くなることから、ユーザにとって複数のイメージが存在することを意識させないユーザーインターフェースを持つことができ、効率的な検品作業を行うことができる。
【００４８】
［第２の実施の形態］
図７は、本発明の第２の実施の形態に係る画像文書管理システムの要部の構成を示す。この第２の実施の形態に係る画像文書管理システムは、第１の実施の形態においてスキャナ２に転送バッファメモリ２５を付加したものであり、他は第１の実施の形態と同様に構成されている。この第２の実施の形態によれば、第１の実施の形態と同様に効率的な検品作業を行うことができるとともに、スキャナ２に転送バッファメモリ２５を設けたので、スキュー補正と転送動作を非同期で行うことができる。
【００４９】
［第３の実施の形態］
図８は、本発明の第３の実施の形態に係る画像文書管理システムの要部の構成を示す。第３の実施の形態は、第１の実施の形態においてスキャナ２で読み取ったＲＡＷイメージデータをそのまま読み取り作業用ホストＰＣ３に転送し、ＰＣ３でスキュー補正を行うようにしたものであり、他は第１の実施の形態と同様に構成されている。
【００５０】
スキャナ２は、ＡＤＦ２０、光学センサ２１、スキャナデータ転送制御手段２４およびスキャナ２の各部を制御する図示しない制御部を備え、第１の実施の形態のようにバッファメモリ２２およびスキュー補正処理ＡＳＩＣ２３を備えてはいない。
【００５１】
読み取り作業用ホストＰＣ３は、スキャナドライバ３０に、スキャナ２から転送されたＲＡＷイメージデータをページ毎に複数のスキュー補正アルゴリズムを用いてスキュー補正処理を行うスキュー補正処理ソフトウェア３０２を備える。なお、スキュー補正処理ソフトウェア３０２は、スキュー補正処理ＡＳＩＣを用いて実現してもよい。
【００５２】
この第３の実施の形態によれば、第１の実施の形態と同様に効率的な検品作業を行うことができるとともに、スキュー補正処理ソフトウェア３０２をＰＣ３側に設けたので、汎用のスキャナを用いることができる。
【００５３】
［第４の実施の形態］
図９は、本発明の第４の実施の形態に係る画像文書管理システムの概略構成を示す。この第４の実施の形態は、第３の実施の形態において、読み取り作業用ホストＰＣ３にスキュー補正評価点算出部３０３を追加し、検品作業用ホストＰＣ４でスキュー補正評価点に基づくイメージの表示制御を行うようにしたものであり、他は第３の実施の形態と同様に構成されている。
【００５４】
以上のように構成された第４の実施の形態において、スキャナ２からＲＡＷページデータが読み取り作業用ホストＰＣ３に転送されると、そのＲＡＷページデータは、読み取り作業用ホストＰＣ３のスキュー補正処理ソフトウェア３０２によって複数のスキュー補正アルゴリズムを用いたスキュー補正が行われ、複数のイメージデータが得られる。スキュー補正評価点算出部３０３は、複数のイメージデータについてそれぞれスキュー補正評価点を算出し、評価点とともにイメージデータを検品作業用ホストＰＣ４に転送する。検品作業用ホストＰＣ４のＣＰＵは、図５と同様の文書データ検品画面において一番高い評価点を得たイメージデータを最初に表示する。
【００５５】
図９の場合は、スキュー補正モード１による補正確度（評価点）は９５％、スキュー補正モード２による補正確度は７０％であるので、評価点の高い方のイメージ１がプレビュー表示される。
【００５６】
この第４の実施の形態によれば、第３の実施の形態と同様に効率的な検品作業を行うことができるとともに、スキュー補正評価点を基に画像の傾きの大小の比較を客観的に行うことができる。
【００５７】
［他の実施の形態］
なお、本発明は、上記各実施の形態および上記各実施例に限定されず、発明の要旨を逸脱しない範囲内において種々変形実施が可能である。例えば、発明の要旨を逸脱しない範囲内で各実施の形態の構成要素を任意に組み合わせることができる。
【００５８】
また、スキャナで１ページ毎に光学的な読み取り動作を複数回行い、その都度各アルゴリズムを適用してスキュー補正処理されたイメージをホストコンピュータに転送してもよい。
【００５９】
また、ページ毎あるいはページ範囲毎に使用する１つあるいは２つ以上のスキュー補正アルゴリズムを設定できるようにしてもよい。これにより、無駄なスキュー補正を減らすことができる。
【００６０】
また、１つのＲＡＷイメージデータについて複数のアルゴリズムを用いてスキュー補正を行い、得られた複数のイメージを並べて表示してもよい。これにより、イメージの切り替え表示をしなくても画像の比較ができるため、傾きの小さいイメージを速やかに選択することができ、検品作業の効率化を図ることができる。
【００６１】
上記実施の形態では、画像文書管理システムをスキャナ、読取用ＰＣ、検品用ＰＣおよび印刷装置から構成したが、読取用ＰＣおよび検品用ＰＣを一つのＰＣで構成してもよい。
【図面の簡単な説明】
【００６２】
【図１】本発明の第１の実施の形態に係る画像文書管理システムを示す構成図である。
【図２】第１の実施の形態に係るスキャナと読み取り作業用ホストＰＣの構成を示す図である。
【図３】第１の実施の形態に係るスキュー補正モード選択画面を示す図である。
【図４】第１の実施の形態に係る文書フォーマットを示す図である。
【図５】第１の実施の形態に係る文書データ検品画面を示す図である。
【図６】本発明の第１の実施の形態に係る画像文書管理システムの動作を示すフローチャートである。
【図７】本発明の第２の実施の形態に係る画像文書管理システムの要部の構成を示す図である。
【図８】本発明の第３の実施の形態に係る画像文書管理システムの要部の構成を示す図である。
【図９】本発明の第４の実施の形態に係る画像文書管理システムの概略構成を示す図である。
【符号の説明】
【００６３】
１  画像文書管理システム
２  スキャナ
３  読み取り作業用ホストＰＣ
４  検品作業用ホストＰＣ
５  印刷装置
６  ネットワーク
７  信号線
２１  光学センサ
２２  バッファメモリ
２４  スキャナデータ転送制御手段
２５  転送バッファメモリ
２３  スキュー補正処理ＡＳＩＣ     
３０  スキャナドライバ
３１  画像文書管理ソフト
５０スキュー補正モード選択画面
５１，５２，５３，５４  チェックボック
６０  文書データ検品画面
６１ａ，６１ｂ，６１ｃ  イメージ
６２ａ，６２ｂ  イメージ切り替えボタン
３００  ドライバデータ転送制御手段
３０１  イメージファイル作成部
３０２  スキュー補正処理ソフトウェア
３０３  スキュー補正評価点算出部
【図１】
2006270748.tif 000003
【図２】
2006270748.tif 000004
【図３】
2006270748.tif 000005
【図４】
2006270748.tif 000006
【図５】
2006270748.tif 000007
【図６】
2006270748.tif 000008
【図７】
2006270748.tif 000009
【図８】
2006270748.tif 000010
【図９】
2006270748.tif 000011